(57)【要約】【課題】簡易な操作で送信状態を維持する技術を提供する。【解決手段】検出部１２は、ＰＴＴボタン１０の押し下げを検出する。送信部２０は、検出部１２がＰＴＴボタン１０の押し下げを検出している期間にわたって信号を送信する。送信部２０は、検出部１２において第１期間以内のＰＴＴボタン１０の押し下げの検出、第２期間以内のＰＴＴボタン１０の押し下げの非検出、第３期間以内のＰＴＴボタン１０の押し下げの検出が連続した場合、検出部１２においてＰＴＴボタン１０の押し下げを非検出であっても信号を送信し続ける。【選択図】図１
2019022056.tif 000002
【特許請求の範囲】
【請求項１】
ボタンの押し下げを検出する検出部と、
前記検出部が前記ボタンの押し下げを検出している期間にわたって信号を送信する送信部とを備え、
前記送信部は、前記検出部において第１期間以内の前記ボタンの押し下げの検出、第２期間以内の前記ボタンの押し下げの非検出、第３期間以内の前記ボタンの押し下げの検出が連続した場合、前記検出部において前記ボタンの押し下げを非検出であっても信号を送信し続けることを特徴とする送信装置。
【請求項２】
前記送信部は、前記検出部において前記ボタンの押し下げを非検出であっても信号を送信し続けている場合に、前記検出部が前記ボタンの押し下げの検出に続いて、前記ボタンの押し下げが非検出であると、信号の送信を停止することを特徴とする請求項１に記載の送信装置。
【請求項３】
前記送信部は、前記検出部が第１期間以内の前記ボタンの押し下げを検出してから第２期間より長い期間にわたる前記ボタンの押し下げを非検出である場合、あるいは前記検出部において第１期間以内の前記ボタンの押し下げの検出と第２期間以内の前記ボタンの押し下げの非検出に続いて第３期間より長い期間にわたる前記ボタンの押し下げが検出された場合、前記検出部において前記ボタンの押し下げが非検出であると、信号の送信を停止することを特徴とする請求項１に記載の送信装置。
【請求項４】
ボタンの押し下げを検出するステップと、
前記ボタンの押し下げを検出している期間にわたって信号を送信するステップと、
第１期間以内の前記ボタンの押し下げの検出、第２期間以内の前記ボタンの押し下げの非検出、第３期間以内の前記ボタンの押し下げの検出が連続した場合、前記ボタンの押し下げを非検出であっても信号を送信し続けるステップと、
を備えることを特徴とする送信方法。
【発明の詳細な説明】
【技術分野】
【０００１】
本発明は、通信技術に関し、特に信号を送信する送信装置および送信方法に関する。
【背景技術】
【０００２】
ＰＴＴ（Ｐｕｓｈ−Ｔｏ−Ｔａｌｋ）に対応した無線送受信機の送受信切替は、ＰＴＴスイッチのオン・オフ操作によって行われる。一般的に、ＰＴＴスイッチを押している期間が送信状態であり、ＰＴＴスイッチを放すと受信状態に戻るように動作する。長時間にわたって、送信状態を維持継続するためには、ＰＴＴスイッチを押し続ける必要があった。ユーザの利便性を向上するために、ＰＴＴスイッチを押した状態をロックする機能が求められる。例えば、ＰＴＴスイッチの操作パターンが、ＰＴＴスイッチが所定の設定時間以上継続してオンされた後に所定の経過時間以内に再度オンされるパターンである場合に、送信状態が維持される（例えば、特許文献１参照）。
【先行技術文献】
【特許文献】
【０００３】
【特許文献１】特開平１１−１３６１４０号公報
【発明の概要】
【発明が解決しようとする課題】
【０００４】
ＰＴＴスイッチを押した状態をロックするまでのキー操作時間が長い場合、ロックが完了したか否かを無線送受信機を見て確認する必要がある。また、ロックをせずに通話をした後に、続けて次の通話を行おうとした場合に、意図せずにロックがなされてしまうことがある。
【０００５】
本発明はこうした状況に鑑みてなされたものであり、その目的は、簡易な操作で送信状態を維持する技術を提供することである。
【課題を解決するための手段】
【０００６】
上記課題を解決するために、本発明のある態様の送信装置は、ボタンの押し下げを検出する検出部と、検出部がボタンの押し下げを検出している期間にわたって信号を送信する送信部とを備える。送信部は、検出部において第１期間以内のボタンの押し下げの検出、第２期間以内のボタンの押し下げの非検出、第３期間以内のボタンの押し下げの検出が連続した場合、検出部においてボタンの押し下げを非検出であっても信号を送信し続ける。
【０００７】
本発明の別の態様は、送信方法である。この方法は、ボタンの押し下げを検出するステップと、ボタンの押し下げを検出している期間にわたって信号を送信するステップと、第１期間以内のボタンの押し下げの検出、第２期間以内のボタンの押し下げの非検出、第３期間以内のボタンの押し下げの検出が連続した場合、ボタンの押し下げを非検出であっても信号を送信し続けるステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、簡易な操作で送信状態を維持できる。
【図面の簡単な説明】
【００１０】
【図１】実施例に係る送信装置の構成を示す図である。
【図２】図２（ａ）−（ｊ）は、図１の送信装置における動作タイミングを示す図である。
【図３】図１の送信装置による送信手順を示すフローチャートである。
【発明を実施するための形態】
【００１１】
本発明を具体的に説明する前に、まず概要を述べる。本発明の実施例は、ＰＴＴスイッチであるＰＴＴボタンが押し下げられた場合に音声信号を送信する送信装置に関する。この送信装置は、例えば、業務用無線システムに含まれる。前述のごとく、ＰＴＴに対応した送信装置において、簡易な操作で送信状態を維持することが求められる。本実施例に係る送信装置は、ＰＴＴボタンを短押しした後に、ＰＴＴボタンを再度短押しすることによって、ＰＴＴのホールド状態に移行し、送信状態を継続する。
【００１２】
ここで、例えば、ＰＴＴボタンの短押しは３００ｍｓ以内であり、最初のＰＴＴボタンの短押しからＰＴＴボタンの再短押しを受けつける期間は２００ｍｓ以内であるとする。さらに、最初のＰＴＴボタンの短押しの時点から送信が開始され、上記の操作パターン中、送信が途切れないようにするとともに、ＰＴＴボタンの再短押しが２００ｍｓ期間より長くなされない場合は送信が終了される。
【００１３】
図１は、送信装置１００の構成を示す。送信装置１００は、ＰＴＴボタン１０、検出部１２、制御部１４、マイク１６、音声処理部１８、送信部２０、通知部２２を含む。以下では、（１）通常送信モードでの処理を説明した後に、（２）送信保持モードでの処理を説明する。
【００１４】
（１）通常送信モード
ＰＴＴボタン１０は、音声信号を送信する場合に押し下げられる。一方、ＰＴＴボタン１０は、音声信号を送信しない場合に押し下げられない。検出部１２は、ＰＴＴボタン１０に接続される。ＰＴＴボタン１０が押し下げられた場合に、検出部１２は、ボタンの押し下げを検出する。一方、ＰＴＴボタン１０が押し下げられない場合に、検出部１２は、ボタンの押し下げを検出しない。制御部１４は、検出部１２における検出結果をもとに、送信部２０と通知部２２の動作を制御する。制御部１４によって制御される送信部２０と通知部２２の動作については後述する。
【００１５】
マイク１６は、ユーザによって発せられる音声を受けつける。マイク１６は、音声を電気信号に変換し、電気信号の音声（以下、これもまた「音声」という）を音声処理部１８に出力する。音声処理部１８は、マイク１６から音声を受けつける。音声処理部１８は、音声に対して符号化等の処理を実行する。音声処理部１８は、処理を実行した音声（以下、これもまた「音声」という）を送信部２０に出力する。
【００１６】
送信部２０は、音声処理部１８からの音声を受けつける。送信部２０は、音声を含めるように音声信号を生成する。送信部２０は、生成した音声信号に対して、制御部１４からの制御に応じて送信処理を実行する。ここでは、制御部１４における制御を説明する。制御部１４は、検出部１２がボタンの押し下げを検出している期間にわたって、音声信号を送信し続けるように送信部２０を制御する。一方、制御部１４は、検出部１２がボタンの押し下げを検出していない期間において、音声信号の送信を停止するように送信部２０を制御する。その結果、送信部２０は、検出部１２がボタンの押し下げを検出している期間にわたって、音声処理部１８からの音声信号を送信し続ける。送信部２０は、検出部１２がボタンの押し下げを検出していない期間において、音声信号の送信を停止する。
【００１７】
通知部２２は、例えば、ＬＥＤ（Ｌｉｇｈｔ  Ｅｍｉｔｔｉｎｇ  Ｄｉｏｄｅ）である。通知部２２は、制御部１４によって送信部２０が音声信号を送信し続けるように制御されている場合、赤色に点灯する。一方、通知部２２は、制御部１４によって送信部２０が音声信号の送信を停止するように制御されている場合、消灯する。つまり、通知部２２は、点灯することによって送信状態をユーザに通知する。なお、通知部２２は、ＬＣＤ（Ｌｉｑｕｉｄ  Ｃｒｙｓｔａｌ  Ｄｉｓｐｌａｙ）であってもよい。
【００１８】
（２）送信保持モード
ここでは、送信保持モードでの動作を説明するために、図２（ａ）−（ｊ）を使用する。図２（ａ）−（ｊ）は、送信装置１００における動作タイミングを示す。図２（ａ）は、ＰＴＴボタン１０、検出部１２、制御部１４における動作タイミングを示す。ＰＴＴボタン１０には、期間Ｔ１以内の押し下げ、期間Ｔ２以内の非押し下げ、期間Ｔ３以内の押し下げがなされる。その後、ＰＴＴボタン１０は押し下げられない。例えば、期間Ｔ１は３００ｍｓに設定され、期間Ｔ２は２００ｍｓに設定され、期間Ｔ３は３００ｍｓに設定される。これらの期間はこれに限定されない。
【００１９】
検出部１２は、期間Ｔ１以内のＰＴＴボタン１０の押し下げを検出し、その後、期間Ｔ２以内のＰＴＴボタン１０の押し下げの非検出が続き、さらに続いて、期間Ｔ３以内のＰＴＴボタン１０の押し下げを連続して検出する。その後、検出部１２は、ＰＴＴボタン１０の押し下げの非検出が続く。なお、実際には、ＰＴＴボタン１０が押し下げられるタイミングと、検出部１２がＰＴＴボタン１０の押し下げを検出するタイミングはずれているが、ここでは、説明を明瞭にするために、そのずれを無視する。
【００２０】
制御部１４は、検出部１２において、期間Ｔ１以内のＰＴＴボタン１０の押し下げの検出、期間Ｔ２以内のＰＴＴボタン１０の押し下げの非検出、期間Ｔ３以内のＰＴＴボタン１０の押し下げの検出が連続した場合、通常送信モードから送信保持モードへの切替を実行する。送信保持モードの場合、制御部１４は、検出部１２においてＰＴＴボタン１０の押し下げを非検出であっても音声信号の送信を継続するように送信部２０を制御する。なお、制御部１４は、検出部１２において期間Ｔ１以内のＰＴＴボタン１０の押し下げを検出した場合、送信保持モードへの切替がなされていなくても、ＰＴＴボタン１０の押し下げが非検出であると、期間Ｔ２以内において音声信号の送信を継続するように送信部２０を制御する。
【００２１】
図２（ｂ）は、送信部２０における動作タイミングを示す。送信部２０は、検出部１２において期間Ｔ１以内のＰＴＴボタン１０の押し下げを検出した場合、制御部１４からの制御に応じて音声信号の送信を開始する。これに続いて、ＰＴＴボタン１０の押し下げが非検出であっても、送信部２０は、期間Ｔ２以内において音声信号の送信を継続する。さらに、送信保持モードになると、制御部１４による送信の継続の制御によって、送信部２０は音声信号の送信を継続する。
【００２２】
図２（ｃ）は、通知部２２のＬＥＤにおける動作タイミングを示す。図２（ｂ）と比較すると明らかなように、通知部２２のＬＥＤは、送信部２０が音声信号を送信している期間にわたって赤色に点灯し、それ以外の期間において消灯する。図２（ｄ）は、通知部２２のＬＣＤにおける動作タイミングを示す。通知部２２のＬＣＤは、制御部１４において送信保持モードが選択されている期間にわたって、「−Ｈｏｌｄ−」の文字を点灯させる。なお、ＬＣＤにおける表示はこれに限定されない。
【００２３】
次に、送信保持モードに切りかえられた後の動作を説明する。図２（ａ）に示すように送信保持モードにおいてＰＴＴボタン１０は押し下げられない。その後、ＰＴＴボタン１０が押し下げられ、続いて非押し下げがなされるとともに、押し下げが終了する。検出部１２は、ＰＴＴボタン１０の押し下げの終了を検出する。制御部１４は、送信保持モードである場合に、検出部１２においてＰＴＴボタン１０の押し下げの終了が検出されると、音声信号の送信を停止するように送信部２０を制御する。これは、送信保持モードを通常送信モードに戻すことに相当する。図２（ｂ）に示すように、送信保持モードにおいて、検出部１２がＰＴＴボタン１０の押し下げの終了を検出すると、送信部２０は音声信号の送信を停止する。図２（ｃ）に示すように、送信部２０が音声信号の送信を停止すると、通知部２２のＬＥＤは消灯する。図２（ｄ）に示すように、送信保持モードが通常送信モードに戻されると、通知部２２のＬＣＤは表示を終了する。
【００２４】
図２（ｅ）−（ｊ）は、通常送信モードから送信保持モードへの切替がなされない場合を説明する。ここでは、（Ａ）第１ケース、（Ｂ）第２ケース、（Ｃ）第３ケースの順に説明する。
【００２５】
（Ａ）第１ケース
図２（ｅ）は、ＰＴＴボタン１０、検出部１２、制御部１４における動作タイミングを示す。ＰＴＴボタン１０は、期間Ｔ１よりも長い期間にわたって押し下げられる。検出部１２は、期間Ｔ１よりも長い期間にわたるＰＴＴボタン１０の押し下げを検出する。制御部１４は、期間Ｔ１よりも長い期間にわたるＰＴＴボタン１０の押し下げが検出部１２において検出されると、通常送信モードを維持する。図２（ｆ）は、送信部２０における動作タイミングを示す。制御部１４において通常送信モードが維持されるので、送信部２０は、検出部１２が期間Ｔ１より長い期間にわたるＰＴＴボタン１０の押し下げを検出した場合、検出部１２においてＰＴＴボタン１０の押し下げが非検出になると、音声信号の送信を停止する。
【００２６】
（Ｂ）第２ケース
図２（ｇ）は、ＰＴＴボタン１０、検出部１２、制御部１４における動作タイミングを示す。ＰＴＴボタン１０は、期間Ｔ１以内の押し下げ、期間Ｔ２よりも長い期間にわたる非押し下げがなされる。検出部１２は、期間Ｔ１以内のＰＴＴボタン１０の押し下げを検出してから期間Ｔ２より長い期間にわたってＰＴＴボタン１０の押し下げの非検出が続く。制御部１４は、検出部１２において、期間Ｔ１以内のＰＴＴボタン１０の押し下げの検出がなされても、期間Ｔ２よりも長い期間にわたってＰＴＴボタン１０の押し下げの非検出が続くので、通常送信モードを維持する。しかしながら、前述のごとく、制御部１４は、期間Ｔ１以内のＰＴＴボタン１０の押し下げの検出後、ＰＴＴボタン１０の押し下げが非検出であると、期間Ｔ２以内において音声信号の送信を継続するように送信部２０を制御する。
【００２７】
図２（ｈ）は、送信部２０における動作タイミングを示す。送信部２０は、検出部１２が期間Ｔ１以内のＰＴＴボタン１０の押し下げを検出した場合、期間Ｔ１以内において音声信号を送信する。また、送信部２０は、検出部１２が期間Ｔ２よりも長い期間にわたってＰＴＴボタン１０の押し下げの非検出が続く場合、期間Ｔ２だけにおいて音声信号を送信する。つまり、送信部２０は、検出部１２が期間Ｔ１以内のＰＴＴボタン１０の押し下げを検出してから期間Ｔ２より長い期間にわたるＰＴＴボタン１０の押し下げを非検出である場合、検出部１２においてＰＴＴボタン１０の押し下げが検出となってから期間Ｔ２経過した後に音声信号の送信を停止する。
【００２８】
（Ｃ）第３ケース
図２（ｉ）は、ＰＴＴボタン１０、検出部１２、制御部１４における動作タイミングを示す。ＰＴＴボタン１０には、期間Ｔ１以内の押し下げ、期間Ｔ２以内の非押し下げ、期間Ｔ３より長い期間の押し下げがなされる。検出部１２は、期間Ｔ１以内のＰＴＴボタン１０の押し下げの検出、それに続いて、期間Ｔ２以内のＰＴＴボタン１０の押し下げの非検出、さらに、期間Ｔ３より長い期間のＰＴＴボタン１０の押し下げの検出が連続してなされる。
【００２９】
制御部１４は、検出部１２において、期間Ｔ１以内のＰＴＴボタン１０の押し下げの検出、期間Ｔ２以内のＰＴＴボタン１０の押し下げの非検出、期間Ｔ３より長い期間のＰＴＴボタン１０の押し下げの検出が連続した場合、通常送信モードを維持する。この場合、期間Ｔ１以内のＰＴＴボタン１０の押し下げの検出、期間Ｔ２以内のＰＴＴボタン１０の押し下げの非検出までは、送信保持モードに切りかえるための押し下げパターンに一致するので、制御部１４は期間Ｔ２以内において音声信号の送信を継続するように送信部２０を制御する。
【００３０】
図２（ｊ）は、送信部２０における動作タイミングを示す。送信部２０は、制御部１４において通常送信モードが維持される。そのため、送信部２０は、検出部１２において、期間Ｔ１以内のＰＴＴボタン１０の押し下げの検出、期間Ｔ２以内のＰＴＴボタン１０の押し下げの非検出、期間Ｔ３より長い期間のＰＴＴボタン１０の押し下げの検出が連続した場合、音声信号を送信する。その後、検出部１２においてＰＴＴボタン１０の押し下げが検出されなければ、送信部２０は音声信号の送信を停止する。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３２】
以上の構成による送信装置１００の動作を説明する。図３は、送信装置１００による送信手順を示すフローチャートである。送信装置１００は待ち受け状態になっている（Ｓ１０）。検出部１２が押し下げを検出しなければ（Ｓ１２のＮ）、待機する。検出部１２が押し下げを検出すれば（Ｓ１２のＹ）、検出部１２は押し下げ検出期間の計測を開始する（Ｓ１４）。送信部２０は音声信号の送信を開始する（Ｓ１６）。検出部１２が押し下げを非検出でなければ（Ｓ１８のＮ）、待機する。検出部１２が押し下げを検出せず（Ｓ１８のＹ）、押し下げ検出期間が３００ｍｓ以内でなければ（Ｓ２０のＮ）、処理は終了される。押し下げ検出期間が３００ｍｓ以内であれば（Ｓ２０のＹ）、検出部１２は押し下げ非検出期間の計測を開始する（Ｓ２２）。押し下げ非検出期間が２００ｍｓを経過すれば（Ｓ２４のＹ）、送信部２０は音声信号の送信を終了する（Ｓ４２）。
【００３３】
押し下げ非検出期間が２００ｍｓを経過せず（Ｓ２４のＮ）、検出部１２が押し下げを検出しなければ（Ｓ２６のＮ）、ステップ２４に戻る。検出部１２が押し下げを検出すれば（Ｓ２６のＹ）、検出部１２は押し下げ検出期間の計測を開始する（Ｓ２８）。押し下げ検出期間が３００ｍｓを経過すれば（Ｓ３０のＹ）、制御部１４は、通常送信モードを決定する（Ｓ３８）。検出部１２が押し下げを非検出でなければ（Ｓ４０のＮ）、待機する。検出部１２が押し下げを非検出であれば（Ｓ４０のＹ）、送信部２０は音声信号の送信を終了する（Ｓ４２）。
【００３４】
押し下げ検出期間が３００ｍｓを経過せず（Ｓ３０のＮ）、検出部１２が押し下げを非検出でなければ（Ｓ３２のＮ）、ステップ３０に戻る。検出部１２が押し下げを非検出であれば（Ｓ３２のＹ）、制御部１４は、送信保持モードを決定する（Ｓ３４）。検出部１２が押し下げ終了を検出しなければ（Ｓ３６のＮ）、待機する。検出部１２が押し下げ終了を検出すれば（Ｓ３６のＹ）、制御部１４は、通常送信モードを決定する（Ｓ３８）。検出部１２が押し下げを非検出でなければ（Ｓ４０のＮ）、待機する。検出部１２が押し下げを非検出であれば（Ｓ４０のＹ）、送信部２０は音声信号の送信を終了する（Ｓ４２）。
【００３５】
本実施例によれば、期間Ｔ１以内の押し下げの検出、期間Ｔ２以内の押し下げの非検出、期間Ｔ３以内の押し下げの検出が連続した場合、押し下げを非検出であっても音声信号を送信し続けるので、簡易な操作で送信状態を維持できる。また、キー操作時間が短く、かつよりシンプルな２回押しを操作パターンにするので、ロック完了のために送信装置を確認することを不要にできる。また、ロック完了までの不要な信号の送信時間を短縮できる。また、通常送信モードで音声信号を送信した場合に操作パターンから外れるので、改めて操作パターンの操作を行わない限りロックを回避できる。また、改めて操作パターンの操作を行わない限りロックが回避されるので、通常の通話の後に、続けて通話を行う際も意図しないロックが発生することを回避できる。
【００３６】
また、押し下げを非検出であっても音声信号を送信し続けている場合に、押し下げの終了を検出すると、音声信号の送信を停止するので、送信保持モードを終了できる。また、期間Ｔ１より長い期間にわたる押し下げを検出した場合に通常送信モードを維持するので、送信保持モードへの切替を回避できる。また、期間Ｔ１以内の押し下げを検出してから期間Ｔ２より長い期間にわたる押し下げを非検出である場合に通常送信モードを維持するので、送信保持モードへの切替を回避できる。また、期間Ｔ１以内の押し下げの検出と期間Ｔ２以内の押し下げの非検出に続いて期間Ｔ３より長い期間にわたる押し下げが検出された場合に通常送信モードを維持するので、送信保持モードへの切替を回避できる。
【００３７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３８】
本実施例によれば、送信装置１００が含まれる通信システムとして、業務用無線システムが使用されている。しかしながらこれに限らず例えば、業務用無線システム以外の携帯電話等の無線通信システムが使用されてもよい。本変形例によれば、システムの自由度を向上できる。
【符号の説明】
【００３９】
１０  ＰＴＴボタン、  １２  検出部、  １４  制御部、  １６  マイク、  １８  音声処理部、  ２０  送信部、  ２２  通知部、  １００  送信装置。
【図１】
2019022056.tif 000003
【図２】
2019022056.tif 000004
【図３】
2019022056.tif 000005